【手続補正書】
【提出日】平成25年8月19日(2013.8.19)
【手続補正１】
【補正対象書類名】特許請求の範囲
【補正対象項目名】請求項１２
【補正方法】変更
【補正の内容】
【請求項１２】
コミックの１ページ毎に対応する画像ファイルであって、ページ全体の高解像度の画像を有する画像ファイルと、前記コミックの１ページ毎又は全ページに対応する情報ファイルであって、前記ページ内の各コマのコマ領域情報を含むコマ情報が記述された情報ファイルとにより構成された電子コミックのマスタデータを取得するデータ取得工程と、
前記電子コミックの閲覧に使用する所定の携帯端末の画面サイズを示すサイズ情報を取得するサイズ情報取得工程と、
前記データ取得工程により取得したマスタデータ内の画像ファイルに基づいて画像を表示手段に表示させるとともに、前記マスタデータ内の情報ファイルに含まれるコマ情報に基づいてコマ境界を前記画像上に重畳して表示させる第１の表示制御工程と、
前記サイズ情報取得工程により取得されたサイズ情報に基づいて前記画像上に前記画面サイズを示す枠線を重畳して表示させる第２の表示制御工程と、
前記枠線の表示位置を前記画像上で移動させる移動指示工程と、
前記表示手段に表示された画像上の位置を指示する指示工程と、
前記指示工程により指示されたコマ境界の位置又は形状を修正する指示入力を受け付け、前記受け付けた指示入力に応じてコマ境界を修正するコマ境界修正工程と、
前記コマ境界修正工程により修正されたコマ境界により前記情報ファイルに含まれるコマ領域情報を更新する編集工程と、
を含む電子コミック編集方法。
【手続補正２】
【補正対象書類名】特許請求の範囲
【補正対象項目名】請求項１３
【補正方法】変更
【補正の内容】
【請求項１３】
コミックの１ページ毎に対応する画像ファイルであって、ページ全体の高解像度の画像を有する画像ファイルと、前記コミックの１ページ毎又は全ページに対応する情報ファイルであって、前記ページ内の各コマのコマ領域情報を含むコマ情報が記述された情報ファイルとにより構成された電子コミックのマスタデータを取得するデータ取得機能と、
前記電子コミックの閲覧に使用する所定の携帯端末の画面サイズを示すサイズ情報を取得するサイズ情報取得機能と、
前記データ取得機能により取得したマスタデータ内の画像ファイルに基づいて画像を表示手段に表示させるとともに、前記マスタデータ内の情報ファイルに含まれるコマ情報に基づいてコマ境界を前記画像上に重畳して表示させる第１の表示制御機能と、
前記サイズ情報取得機能により取得されたサイズ情報に基づいて前記画像上に前記画面サイズを示す枠線を重畳して表示させる第２の表示制御機能と、
前記枠線の表示位置を前記画像上で移動させる移動指示機能と、
前記表示手段に表示された画像上の位置を指示する指示機能と、
前記指示機能により指示されたコマ境界の位置又は形状を修正する指示入力を受け付け、前記受け付けた指示入力に応じてコマ境界を修正するコマ境界修正機能と、
前記コマ境界修正機能により修正されたコマ境界により前記情報ファイルに含まれるコマ領域情報を更新する編集機能と、
をコンピュータにより実現させる電子コミック編集プログラム。
【手続補正３】
【補正対象書類名】明細書
【補正対象項目名】０００４
【補正方法】変更
【補正の内容】
【０００４】
また、特許文献２には、漫画原稿のコマの枠を自動判定し、コマのサイズに応じて拡縮率、スクロール方向とスクロール方法を自動設定する記載がある。また、手動により編集を進めることができる記載がある。手動編集する場合には、手動編集用のアプリケーションである画像群編集装置を作動させ、読み出した漫画原稿の所定のページを参照しながら、その原稿のコマの枠位置をマウスなどのポインティングデバイスで選択し、コマの枠位置を設定するようにしている。
【手続補正４】
【補正対象書類名】明細書
【補正対象項目名】００２２
【補正方法】変更
【補正の内容】
【００２２】
本発明の更に他の態様に係る電子コミック編集方法は、コミックの１ページ毎に対応する画像ファイルであって、ページ全体の高解像度の画像を有する画像ファイルと、前記コミックの１ページ毎又は全ページに対応する情報ファイルであって、前記ページ内の各コマのコマ領域情報を含むコマ情報が記述された情報ファイルとにより構成された電子コミックのマスタデータを取得するデータ取得工程と、前記電子コミックの閲覧に使用する所定の携帯端末の画面サイズを示すサイズ情報を取得するサイズ情報取得工程と、前記データ取得工程により取得したマスタデータ内の画像ファイルに基づいて画像を表示手段に表示させるとともに、前記マスタデータ内の情報ファイルに含まれるコマ情報に基づいてコマ境界を前記画像上に重畳して表示させる第１の表示制御工程と、前記サイズ情報取得工程により取得されたサイズ情報に基づいて前記画像上に前記画面サイズを示す枠線を重畳して表示させる第２の表示制御工程と、前記枠線の表示位置を前記画像上で移動させる移動指示工程と、前記表示手段に表示された画像上の位置を指示する指示工程と、前記指示工程により指示されたコマ境界の位置又は形状を修正する指示入力を受け付け、前記受け付けた指示入力に応じてコマ境界を修正するコマ境界修正工程と、前記コマ境界修正工程により修正されたコマ境界により前記情報ファイルに含まれるコマ領域情報を更新する編集工程と、を含んでいる。
【手続補正５】
【補正対象書類名】明細書
【補正対象項目名】００２３
【補正方法】変更
【補正の内容】
【００２３】
本発明の更に他の態様に係る電子コミック編集プログラムは、コミックの１ページ毎に対応する画像ファイルであって、ページ全体の高解像度の画像を有する画像ファイルと、前記コミックの１ページ毎又は全ページに対応する情報ファイルであって、前記ページ内の各コマのコマ領域情報を含むコマ情報が記述された情報ファイルとにより構成された電子コミックのマスタデータを取得するデータ取得機能と、前記電子コミックの閲覧に使用する所定の携帯端末の画面サイズを示すサイズ情報を取得するサイズ情報取得機能と、前記データ取得機能により取得したマスタデータ内の画像ファイルに基づいて画像を表示手段に表示させるとともに、前記マスタデータ内の情報ファイルに含まれるコマ情報に基づいてコマ境界を前記画像上に重畳して表示させる第１の表示制御機能と、前記サイズ情報取得機能により取得されたサイズ情報に基づいて前記画像上に前記画面サイズを示す枠線を重畳して表示させる第２の表示制御機能と、前記枠線の表示位置を前記画像上で移動させる移動指示機能と、前記表示手段に表示された画像上の位置を指示する指示機能と、前記指示機能により指示されたコマ境界の位置又は形状を修正する指示入力を受け付け、前記受け付けた指示入力に応じてコマ境界を修正するコマ境界修正機能と、前記コマ境界修正機能により修正されたコマ境界により前記情報ファイルに含まれるコマ領域情報を更新する編集機能と、をコンピュータにより実現させるものである。
【手続補正６】
【補正対象書類名】明細書
【補正対象項目名】００４８
【補正方法】変更
【補正の内容】
【００４８】
ユーザが操作部１２を介して「filename」、「speaking」、「Language」、「Translation」の欄を入力すると、オーサリング部１０は、入力された文字情報を一覧Ｌに表示させると共に、ＤＢ１１に記憶させる。なお、「filename」はファイル名であり、「speaking」は音声情報の有無であり、「Language」はコンテンツ画像に含まれる文字情報の言語であり、「Translation」はコンテンツ画像に含まれる文字情報の他言語への翻訳の有無である。なお、「koma」はコマ数であるが、現段階では「０」が表示されている（後で自動入力される）。
【手続補正７】
【補正対象書類名】明細書
【補正対象項目名】００９５
【補正方法】変更
【補正の内容】
【００９５】
図２４は、ステップＳ５〜Ｓ７で吹き出し、テキスト及びＲＯＩが設定された結果を示す。図２４には、吹き出しとして吹き出しｉ〜ｘｉｉが含まれ、ＲＯＩとして女性Ｆ（Ｆ１〜Ｆ３）、男性Ｍ（Ｍ１〜Ｍ４）が含まれる。女性Ｆ１〜Ｆ３は全て同一人物（女性Ｆ）であるが、説明の便宜上女性Ｆ１〜Ｆ３とした。同様に、男性Ｍ１〜Ｍ４も全て同一人物（男性Ｍ）であるが、説明の便宜上男性Ｍ１〜Ｍ４とした。
【手続補正８】
【補正対象書類名】明細書
【補正対象項目名】００９７
【補正方法】変更
【補正の内容】
【００９７】
次に、まずオーサリング部１０が自動でペアリングを行い、手動で修正する方法について説明する。オーサリング部１０は、情報ファイルに基づいて隣接するＲＯＩと吹き出しとを自動的にペアリングする。図２４に示す場合においては、吹き出しｉと女性Ｆ１とをペア１に設定し、吹き出しｉｉと男性Ｍ１とをペア２に設定し、吹き出しｉｉｉと男性Ｍ２をペア３に設定し、吹き出しｉｖと男性Ｍ２をペア４に設定し、吹き出しｖと女性Ｆ２をペア５に設定し、吹き出しｖｉと女性Ｆ２をペア６に設定し、吹き出しｖｉｉと男性Ｍ３をペア７に設定し、吹き出しｖｉｉｉと男性Ｍ３をペア８に設定し、吹き出しｉｘと男性Ｍ３をペア９に設定し、吹き出しｘと男性Ｍ４をペア１０に設定し、吹き出しｘｉと女性Ｆ３をペア１１に設定し、吹き出しｘｉｉと女性Ｆ３をペア１２に設定する。
【手続補正９】
【補正対象書類名】明細書
【補正対象項目名】０１１８
【補正方法】変更
【補正の内容】
【０１１８】
コマ境界の削除、追加も可能である。コマ境界の追加、削除はステップＳ４と同じであるため説明を省略する。例えば所定のコマが選択された状態で、ユーザが操作部１２を介してそのコマの所定のコマ境界を選択すると、選択されたコマが削除される。例えばコマの大きさが小さく、枠Ｆに２個のコマが含まれる場合等には、コマを１つにすることで効率のよい表示が可能となる。
【手続補正１０】
【補正対象書類名】図面
【補正対象項目名】図４
【補正方法】変更
【補正の内容】
【図４】
2013089199.tif 000001
【手続補正１１】
【補正対象書類名】図面
【補正対象項目名】図２４
【補正方法】変更
【補正の内容】
【図２４】
2013089199.tif 000002
【手続補正１２】
【補正対象書類名】図面
【補正対象項目名】図２５
【補正方法】変更
【補正の内容】
【図２５】
2013089199.tif 000003
【手続補正１３】
【補正対象書類名】図面
【補正対象項目名】図２７
【補正方法】変更
【補正の内容】
【図２７】
2013089199.tif 000004
【手続補正１４】
【補正対象書類名】図面
【補正対象項目名】図２８
【補正方法】変更
【補正の内容】
【図２８】
2013089199.tif 000005
【手続補正１５】
【補正対象書類名】図面
【補正対象項目名】図２９
【補正方法】変更
【補正の内容】
【図２９】
2013089199.tif 000006